(57)【要約】【課題】収納テーブル付リクライニングシートにおいて、テーブルにノートパソコンを載せた状態で、背もたれ部が後へ傾斜しても、ノートパソコンが損傷する事故が起きにくくする事故防止具を提供する。【解決手段】板状部材２１を、その背部の紐状部材２３で、背もたれ部５のロックレバー１７に係止すると、この板状部材２１は、背もたれ部５の段差１５の少なくとも左右中央部およびロックレバー１７を覆う。その覆った状態で、ノートパソコンを使用していれば、リクライニング動作により背もたれ部５が後へ傾斜しても、段差１５またはロックレバー１７は、板状部材２１に遮蔽されるので、開いたノートパソコンの上部に引っかかることはない。ノートパソコンの上部は、板状部材２１の表部を滑るだけである。よって、ノートパソコンが損傷する事故は起きにくい。【選択図】図１
2014073699.tif 000002
【特許請求の範囲】
【請求項１】
座部と、この座部に対して傾斜する背もたれ部と、この背もたれ部の背側に設けられ、使用状態では前記座部に対して水平な使用姿勢が支持され、非使用状態では回動して前記背もたれ部へ表面側が接して収納されるテーブルと、収納姿勢のテーブルの上端付近をフラットにするために、前記テーブルの上端が沈み込むよう背もたれ部の背側に形成された段差と、この段差の位置に設けられ、回動して前記テーブルの上端を押さえ収納姿勢を維持するロックレバーと、を有して構成される収納テーブル付リクライニングシートにおいて、
前記水平な使用姿勢のテーブルにノートパソコンを載せた状態で、前記背もたれ部が後へ傾斜しても、前記段差または前記ロックレバーが、開いた前記ノートパソコンの上部に引っかかって前記ノートパソコンが損傷する事故が起きにくくする事故防止具であって、
前記段差の少なくとも左右中央部および前記ロックレバーを覆う広さを有して滑りやすい係止手段と、この板状部材の背部に設けられ前記ロックレバーに係止できる紐状部材と、を有することを特徴とするリクライニングシート用ノートパソコン事故防止具。
【請求項２】
前記係止手段は紐状部材であることを特徴とする請求項１に記載のリクライニングシート用ノートパソコン事故防止具。
【発明の詳細な説明】
【技術分野】
【０００１】
この発明は、リクライニングシートのテーブルで使用するノートパソコンに、リクライニング動作で事故が起きるのを防止する防止具に関する。
【背景技術】
【０００２】
図６に示すように、航空機や新幹線などに使用されるリクライニングシート１０１は、座部１０３に対して背もたれ部１０５が後方へ傾斜する。この背もたれ部１０５の背側には、テーブル１０７が設けられる。このテーブル１０７は、使用状態では座部１０３に対して水平な使用姿勢が支持される。非使用状態では、使用状態から回動して、背もたれ部１０５へ表面側１０８が接した状態で収納される。
【０００３】
この収納姿勢のテーブル１０７の上端付近をフラットにするために、テーブル１０７の上端が沈み込むように、背もたれ部１０５の背側に段差１０９が形成されている。この段差１０９の位置には、短いロックレバー１１１が設けられ、回動して、テーブル１０７の上端を押さえ収納姿勢を維持する。
このような収納テーブル付リクライニングシート１０１において、図５（Ａ）に示すように、水平な使用姿勢のテーブル１０７にノートパソコン１１３を載せた状態では、背もたれ部１０５が後へ傾斜しリクライニング動作すると（同図中の上の矢印）、背もたれ部１０５の段差１０９やロックレバー１１１が、姿勢を独立して維持しているテーブル１０７の上で開いているノートパソコン１１３の上部に引っかかって、ノートパソコン１１３が強く押され（同図中の下の矢印）滑り落ちてしまうことなどがある。
【０００４】
下記特許文献１には、乗物の中で使用するテーブルの上に載せたものが、カーブ走行時の遠心力などで滑り落ちないように工夫された簡易テーブルが提案されている。
【先行技術文献】
【特許文献】
【０００５】
【特許文献１】特開２００６−２１３１９１
【発明の概要】
【発明が解決しようとする課題】
【０００６】
上記収納テーブル付リクライニングシートにおいて、リクライニング動作した背もたれ部の段差やロックレバーが、開いたノートパソコンの上部に引っかかると、ノートパソコンをテーブルから押し出し滑り落として壊してしまったり、ノートパソコンをテーブルとの間で圧縮して、液晶画面にひびを入れたりする事故を起こすことがある。
【０００７】
また、リクライニングシートにテーブルが設けられているのに、わざわざ、上記特許文献１の簡易テーブルを持ち運ぶのは不合理である。
この発明は、以上の問題点を解決するために、収納テーブル付リクライニングシートにおいて、テーブルにノートパソコンを載せた状態で、背もたれ部が後へ傾斜しても、ノートパソコンが損傷する事故が起きにくくする事故防止具を提供することを目的とする。
【課題を解決するための手段】
【０００８】
以上の課題を解決するために、この発明は、座部と、この座部に対して傾斜する背もたれ部と、この背もたれ部の背側に設けられ、使用状態では前記座部に対して水平な使用姿勢が支持され、非使用状態では回動して前記背もたれ部へ表面側が接して収納されるテーブルと、収納姿勢のテーブルの上端付近をフラットにするために、前記テーブルの上端が沈み込むよう背もたれ部の背側に形成された段差と、この段差の位置に設けられ、回動して前記テーブルの上端を押さえ収納姿勢を維持するロックレバーと、を有して構成される収納テーブル付リクライニングシートにおいて、
前記水平な使用姿勢のテーブルにノートパソコンを載せた状態で、前記背もたれ部が後へ傾斜しても、前記段差または前記ロックレバーが、開いた前記ノートパソコンの上部に引っかかって前記ノートパソコンが損傷する事故が起きにくくする事故防止具であって、
前記段差の少なくとも左右中央部および前記ロックレバーを覆う広さを有して滑りやすい板状部材と、この板状部材の背部に設けられ前記ロックレバーに係止できる係止手段と、を有することを特徴とするリクライニングシート用ノートパソコン事故防止具である。この係止手段は、例えば、紐状部材である。
【発明の効果】
【０００９】
この発明によれば、板状部材を、その背部の係止手段で、背もたれ部のロックレバーに係止すると、この板状部材は、背もたれ部の段差の少なくとも左右中央部およびロックレバーを覆う。その覆った状態で、ノートパソコンを使用していれば、リクライニング動作により背もたれ部が後へ傾斜しても、段差またはロックレバーは、板状部材に遮蔽されるので、開いたノートパソコンの上部に引っかかることはない。ノートパソコンの上部は、板状部材の表部を滑るだけである。よって、ノートパソコンが損傷する事故は起きにくい。
【図面の簡単な説明】
【００１０】
【図１】この発明の一実施形態を示す斜視図である。
【図２】図１からノートパソコンを除いた状態の斜視図である。
【図３】（Ａ）は図２の要部の拡大図、（Ｂ)は（Ａ）のロックレバー部分の拡大図である。
【図４】パソコン事故防止具となる図３（Ａ）の板状部材の背部を示す図である。
【図５】この実施形態の効果を示す図で、（Ａ）はパソコン事故防止具を用いないときの要部側面図、（Ｂ）はパソコン事故防止具を用いたときの要部側面図である。
【図６】従来の問題点を示す斜視図である。
【発明を実施するための形態】
【００１１】
この発明の実施形態を、図１から図５に示す。
図１、図２に示すように、このリクライニングシート１は、航空機や新幹線などに使用されるもので、座部３に対して背もたれ部５が後方へ傾斜する。この背もたれ部５の背側には、テーブル７が設けられる。このテーブル７は、使用状態では座部３に対して水平な使用姿勢が支持される。非使用状態では、使用状態から回動して、背もたれ部５へ表面側９が接した状態で収納される。
【００１２】
そして、背もたれ部５が後へ傾斜しリクライニング動作しても、使用状態のテーブル７は水平な姿勢で静止しており、姿勢を独立して維持する。
このような機能は、以下の構成により生じる。すなわち、リクライニングシート１の左右の肘掛部８には、左右方向へシャフトバーが通されていて、このシャフトバーを中心にして、背もたれ部５とテーブル７の支持金具１０が、独立して回動可能に保持されている。背もたれ部５の回動は、スプリング機構で角度が調整され、テーブル７は手動で上下される。
【００１３】
この収納姿勢のテーブルの上端付近１１をフラットにするために、テーブルの上端１３が沈み込むように、背もたれ部５の背側に段差１５が形成されている。この段差１５の位置には、短いロックレバー１７が、その長手方向の中央を中心にして回動可能に設けられる。そして、回動して、テーブルの上端１３を押さえ、テーブル７の収納姿勢を維持する。
【００１４】
図３、図４に示すように、このようなリクライニングシート１でノートパソコンの事故が起きるのを防止する防止具１９として、滑りやすい板状部材２１が用いられる。この板状部材２１の素材としては、例えば、ポリメチルメタクリレート(PMMA)、ポリカーボネート(PC)、ポリスチレン(PS)、ポリエチレンテレフタレート(PET)、ポリプロプレン(PP)、ポリエチレン(PE)、ナイロン、ポリ塩化ビニル(PVC)、ポリビニルアルコール(PVA)、エチレン・ビニルアルコール共重合樹脂(EVOH)、環状ポリオレフィン(COP)、アルミ板、ステンレス板などが採用できる。
【００１５】
この板状部材２１は、背もたれ部５の背側に形成された段差１５の少なくとも左右中央部の多くの部分、およびロックレバー１７を完全に覆う広さを有する。
また、この板状部材２１の背部には、ロックレバー１７に係止できる係止手段として、紐状部材２３が設けられる。紐状部材２３の材質は、プラスチック、金属、繊維、ゴムなど、一定の強度があるいろいろなものが採用されうる。紐状部材２３は、例えば粘着テープ２４により、板状部材２１の背部へ貼付けられる。貼付けの位置は、背部の上方で左右方向中央である。
【００１６】
「実施形態の効果」
以上の実施形態により、以下の効果を有する。
すなわち図３（Ｂ）に示すように、板状部材２１を、その背部の紐状部材２３で、背もたれ部５のロックレバー１７に係止する。すると、この板状部材２１は、背もたれ部５の背側に形成された段差１５の少なくとも左右中央部の多くの部分、およびロックレバー１７を完全に覆う（図３（Ａ））。そして、その覆った状態で、ノートパソコン２５を使用する（図１）。
【００１７】
この使用中に、図５（Ｂ）に示すように、リクライニング動作により背もたれ部５が後へ傾斜しても（同図中の上の実線矢印）、段差１５またはロックレバー１７は、板状部材２１に遮蔽され、板状部材２１の背部で滑るので（同図中の右の点線矢印）、開いたノートパソコン２５の上部に引っかかることはない。また、ノートパソコン２５の上部は、板状部材２１の表部を滑る（同図中の左の点線矢印）だけである。よって、ノートパソコン２５は、手前側に少しは押される（同図中の下の実線矢印）ことがあっても、大きく押し出されたり、落下したりして損傷するような事故は起きにくい。
また、以上のリクライニングシート用ノートパソコン事故防止具を用いれば、ノートパソコンだけでなく、ＩＰＡＤなどの他の携帯端末、 ＤＶＤプレイヤー等の携帯音楽機器、さらには書籍などに着いても、段差１５またはロックレバー１７等に引っかかって落下するなどの事故を防止できる。
【００１８】
「他の実施形態」
以上の実施形態では、板状部材２１は専用に準備するものであったが、他の実施形態では、航空機や新幹線などの乗物の中に備え付けられているものを利用してもよい。例えば、航空機内の座席に備え付けられ、機内の脱出口などを説明した説明書の大型カードを利用することもできる。その場合には、例えば、紐状部材２３に吸盤を連結させ、その吸盤を大型カードである板状部材２１に吸着させ、紐状部材２３を取付けることができる。
以上の実施形態では、紐状部材２３は、粘着テープ２４により、板状部材２１の背部に設けられるものであったが、他の実施形態では、板状部材２１に孔を空け、その穴を利用して設けてもよい。
以上の実施形態では、ロックレバー１７に係止できる係止手段は、紐状部材２３であったが、他の実施形態では、他のいろいろな手段が採用できる。例えば、ロックレバー１７を挟み付けて係止するクリップでもよい。
【符号の説明】
【００１９】
１…リクライニングシート、３…座部、５…背もたれ部、７…テーブル、９…表面側、１１…上端付近、１３…テーブルの上端、１５…段差、１７…ロックレバー、１９…防止具、２１…板状部材、２３…紐状部材。
【図２】
2014073699.tif 000003
【図３】
2014073699.tif 000004
【図４】
2014073699.tif 000005
【図５】
2014073699.tif 000006
【図１】
2014073699.tif 000007
【図６】
2014073699.tif 000008